(57)【要約】【課題】輝度ムラを低減できる構成を有する表示装置を提供すること。【解決手段】指針で指示される目盛意匠８４ｂが施されている目盛板８４と、目盛板８４の裏面に配置され、光源８５からの光を受光部８２ｂで受けて、目盛板８４を裏面から照明する導光板８２とを備え、導光板８２には、受光部８２ｂで受けた光が目盛板８４における目盛意匠８４ｂが施されている一定の範囲内に進むように、光の進行方向を規制する規制手段（規制溝）８２ｄが設けられている。【選択図】図１
2006098161.tif 000002
【特許請求の範囲】
【請求項１】
指針で指示される目盛意匠が施されている目盛板と、
前記目盛板の裏面に配置され、光源からの光を受光部で受けて、前記目盛板を裏面から照明する導光板とを備え、
前記導光板には、前記受光部で受けた光が前記目盛板における前記目盛意匠が施されている一定の範囲内に進むように、前記光の進行方向を規制する規制手段が設けられている
ことを特徴とする表示装置。
【請求項２】
指針で指示される目盛意匠が施されている目盛板と、
前記目盛板の裏面に配置され、光源からの光を受けて、前記目盛板を裏面から照明する導光板とを備え、
前記導光板は、前記光源からの光を受ける受光部と、前記目盛板の全体に重ね合わせられる光拡散部と、前記受光部を前記光拡散部に対して任意の角度を持って連結する連結部とを有し、
前記連結部には、前記光源から前記受光部を介する光が前記目盛板における前記目盛意匠が施されている一定の範囲内に進むように、前記光の進行方向を規制する規制溝が形成されている
ことを特徴とする表示装置。
【請求項３】
請求項２記載の表示装置において、
前記規制溝は、鋸歯状に形成されている
ことを特徴とする表示装置。
【請求項４】
請求項３記載の表示装置において、
前記鋸歯状の規制溝は、各々異なる反射角を持ち、前記受光部からの光を前記一定の範囲内に進むように反射させる複数の小面より構成される
ことを特徴とする表示装置。
【請求項５】
請求項１から４のいずれか１項に記載の表示装置において、
前記目盛板は、ほぼ円形の開口部が中央に設けられたほぼドーナツ状に形成されており、
前記導光板の光拡散部は、前記目盛板の開口部と同一形状の開口部が中央に設けられたドーナツ状に形成されており、
前記導光板の連結部は、前記光拡散部の外周の一部に形成されている
ことを特徴とする表示装置。
【発明の詳細な説明】
【技術分野】
【０００１】
本発明は、表示装置に関し、特に自動車用計器に適する表示装置に関する。
【背景技術】
【０００２】
従来の表示装置として、特開２００２−９１３５２号公報に開示されているものがある。
【０００３】
図５（Ａ）および（Ｂ）は、それぞれ、上記公報に開示されている表示装置の正面図および要部断面図である。表示装置たる時計２１０は、アクリル樹脂やポリカーボネートにより形成された光が通過する無色の導光板２０２と、導光板２０２の一方の面に塗布された白色層２０３と、導光板２０２の表示面２０２ｄ上に形成された指標２０９と、回路基板２０８に取り付けられた３つの発光ダイオード２０４，２０５，２０６とから構成されている。
【０００４】
発光ダイオード２０４，２０５，２０６を点灯し、この発光ダイオード２０４，２０５，２０６から発せられた光は、導光板２０２に設けられた端面２０２ａ，２０２ｂ，２０２ｃからそれぞれ導光板２０２の内部に導入される。この導光板２０２の内部に導入された光は、白色層２０３により導光板２０２の中で反射して表示面２０２ｄから出射するようになっている。
【特許文献１】特開２００２−９１３５２号公報
【発明の開示】
【発明が解決しようとする課題】
【０００５】
しかしながら、上述の表示装置では、反射面は平面であり、図６に示すように、光源としての発光ダイオード２０４，２０５，２０６が近い部位（斜線部）２０３Ａ，２０３Ｂ，２０３Ｃの輝度と、そこから離れた部位（網線部）２０３Ｄに対し、それぞれ３箇所の反射面より反射する光の届き方により、部位（斜線部）２０３Ａ，２０３Ｂ，２０３Ｃと部位（網線部）２０３Ｄにおいて表示面２０２ｄの輝度ムラが生じるという問題がある。
【０００６】
そこで本発明は、上述した従来の問題点に鑑み、輝度ムラを低減できる構成を有する表示装置を提供することを目的としている。
【課題を解決するための手段】
【０００７】
請求項１記載の発明は、指針で指示される目盛意匠が施されている目盛板と、前記目盛板の裏面に配置され、光源からの光を受光部で受けて、前記目盛板を裏面から照明する導光板とを備え、前記導光板には、前記受光部で受けた光が前記目盛板における前記目盛意匠が施されている一定の範囲内に進むように、前記光の進行方向を規制する規制手段が設けられていることを特徴とする。
【０００８】
請求項２記載の発明は、指針で指示される目盛意匠が施されている目盛板と、前記目盛板の裏面に配置され、光源からの光を受けて、前記目盛板を裏面から照明する導光板とを備え、前記導光板は、前記光源からの光を受ける受光部と、前記目盛板の全体に重ね合わせられる光拡散部と、前記受光部を前記光拡散部に対して任意の角度を持って連結する連結部とを有し、前記連結部には、前記光源から前記受光部を介する光が前記目盛板における前記目盛意匠が施されている一定の範囲内に進むように、前記光の進行方向を規制する規制溝が形成されていることを特徴とする。
【０００９】
請求項３記載の発明は、請求項２記載の表示装置において、前記規制溝は、鋸歯状に形成されていることを特徴とする。
【００１０】
請求項４記載の発明は、請求項３記載の表示装置において、前記鋸歯状の規制溝は、各々異なる反射角を持ち、前記受光部からの光を前記一定の範囲内に進むように反射させる複数の小面より構成されることを特徴とする。
【００１１】
請求項５記載の発明は、請求項１から４のいずれか１項に記載の表示装置において、前記目盛板は、ほぼ円形の開口部が中央に設けられたほぼドーナツ状に形成されており、前記導光板の光拡散部は、前記目盛板の開口部と同一形状の開口部が中央に設けられたドーナツ状に形成されており、前記導光板の連結部は、前記光拡散部の外周の一部に形成されていることを特徴とする。
【発明の効果】
【００１２】
請求項１および２記載の発明によれば、目盛板の目盛意匠を照明する光の輝度ムラを低減することができ、目盛の視認性が向上する。
【００１３】
請求項３記載の発明によれば、規制溝を容易に形成することができる。
【００１４】
請求項４記載の発明によれば、前記受光部で受けた光が前記目盛板における前記目盛意匠が施されている一定の範囲内で異なる方向に進めることができ、輝度ムラを低減することができる。
【００１５】
請求項５記載の発明によれば、ほぼドーナツ状の目盛板における目盛意匠を照明する光の輝度ムラを低減することができ、目盛の視認性が向上する。
【発明を実施するための最良の形態】
【００１６】
以下、本発明の表示装置について、図面に基づいて説明する。
【００１７】
図１は、本発明の最良の形態に係る表示装置を示す斜視図、図２は図１の表示装置の分解斜視図、図３は図１の表示装置における導光板の部分拡大図、図４は、図１の表示装置の導光状態を説明する図である。
【００１８】
図１および図２に示すように、表示装置８は、ホルダー８１と、導光板８２と、導光板８２に透明な接着テープ８３で接合された目盛板８４とからなる。ホルダー８１は、白色の合成樹脂で作られ、導光板を保持する保持部材と、導光板８２からの光を反射させる光反射板との役目を兼ねている。ホルダー８１には、中央にほぼ円形の開口部８１ａが形成されている。
【００１９】
導光板８２は、透明な部材（たとえば、プラスチック）で一体形成される光拡散部８２ａ、受光部８２ｂおよび連結部８２ｃからなる。光拡散部８２ａは、ホルダー８１の開口部８１ａと同一形状の開口部８２ａ１が中央に設けられたドーナツ状に形成されている。受光部８２ｂは、光拡散部８２ａの外周の一部に形成された連結部８２ｃで連結され、任意の角度（たとえば、ほぼ直角）を持って延設されている。受光部８２ｂの端部には、ＬＥＤ（発光ダイオード）等の光源８５が配置され、光源から発する光を受光することができる。
【００２０】
目盛板８４は、黒色中心のデザインとなっており、開口部８１ａと同一形状の開口部８４ａが中央に設けられたほぼドーナツ状に形成され、その表面には、外周に沿って目盛、たとえば自動車用計器の１つであるスピードメータの速度を表示するための目盛意匠８４ｂが形成されている。
【００２１】
さらに、図３に示すように、導光板８２の連結部８２ｃにおいて凸となる側の表面には、複数の鋸歯状の規制溝（規制手段）８２ｄが形成されている。この鋸歯状の規制溝８２ｄは、その溝線が目盛板８４の目盛意匠８４ｂが施されたエリアの方向に合わせられている。複数の規制溝８２ｄは、鋸歯状とすることにより、光源８５から受光部８２ｂで受光された光を反射させる反射面として作用する複数の小面を形成している。そして、各小面は、各々異なる反射角を持つように形成され、前記光をそれぞれ異なる方向に反射させる。反射された光は、その進行方向が各小面によって、目盛板８４における目盛意匠８４ｂが施されている一定の範囲内に進むように規制される。
【００２２】
たとえば、図４に示すように、鋸歯状の規制溝８２ｄで形成された５つの小面は、それぞれ異なる反射角を持っているが、光源８５から受光部８２ｂを介して進む光のほとんどが、矢印で例示するように、各小面で反射されたとき、スピードメータの速度目盛の０（ｋｍ／ｈ）から２６０（ｋｍ／ｈ）を示す目盛意匠８４ｂが施されているエリア、すなわち、左および右斜め下から上方の一定の範囲内に進むようになっている。したがって、目盛意匠８４ｂは、効率良く明るく照明されるようになる。
【００２３】
また、各小面による反射面で反射した光は、光拡散部８２ａの外周エッジおよび開口部８２ａ１の内周エッジでも反射されるので、輝度ムラを低減して目盛意匠８４ｂをほぼ均一に照明すると共に、目盛意匠８４ｂのない下側も含む目盛板８４の全周を照明することができる。
【００２４】
上述の構造の表示装置８においては、開口部８１ａ、８２ａ１および８４ａの裏側に配置されるムーブメント（図示しない）の回転軸に取り付けられて回動制御される指針（図示しない）が、各開口部の表側において、目盛板８４の目盛意匠８４ｂを指示する。
【００２５】
以上の通り、本発明の最良の形態について説明したが、本発明はこれに限らず、種々の変形、応用が可能である。
【図面の簡単な説明】
【００２６】
【図１】本発明の最良の形態に係る表示装置を示す斜視図である。
【図２】図１の表示装置の分解斜視図である。
【図３】図１の表示装置における導光板の部分拡大図である。
【図４】図１の表示装置の導光状態を説明する図である。
【図５】（Ａ）および（Ｂ）は、それぞれ、従来の表示装置の正面図および要部断面図である。
【図６】図５の表示装置における照明状態を説明する図である。
【符号の説明】
【００２７】
８  表示装置
８１  ホルダー
８２  導光板
８２ａ  光拡散部
８２ａ１  開口部
８２ｂ  受光部
８２ｃ  連結部
８２ｄ  規制溝（規制手段）
８４  目盛板
８４ａ  開口部
８４ｂ  目盛意匠
【図１】
2006098161.tif 000003
【図２】
2006098161.tif 000004
【図３】
2006098161.tif 000005
【図４】
2006098161.tif 000006
【図５】
2006098161.tif 000007
【図６】
2006098161.tif 000008